(57)【特許請求の範囲】
【請求項１】
板状のソーラーセルを有する携帯型の時計に用いられる時計用表示板であって、
光透過性文字板と、この光透過性文字板と前記ソーラーセルとの間に配設される輝度向上板と、を備え、
前記輝度向上板は、平面に比べて反射光量を増大させる凹凸面を有し、前記凹凸面は、プリズム面が多数配列されたものであり、
前記光透過性文字板には、装飾又は時字が設けられ、
前記光透過性文字板と前記輝度向上板との間に、または前記輝度向上板と前記ソーラーセルとの間に、第２の輝度向上板が設けられ、
前記輝度向上板と前記第２の輝度向上板は、前記プリズム面が、板面内の一方向に沿って延びて形成され、
前記輝度向上板と前記第２の輝度向上板とのうち少なくとも一方に、その厚さ方向に沿って貫通した貫通孔により、前記光透過性文字板側に反射する光の明暗による文字、図形、模様を形成したことを特徴とする時計用表示板。
【発明の詳細な説明】
【技術分野】
【０００１】
本発明は時計用表示板に関し、詳細には、太陽電池（ソーラーセル）を有する時計の表示板の改良に関する。
【背景技術】
【０００２】
従来、受光した光エネルギーを電力に変換するソーラーセルを備え、このソーラーセルによる起電力を動力源とする時計が実用化されている。【０００３】
このソーラーセルは、例えば携帯型の時計においては、設置スペースの都合等により、時字などが記されている文字板の背面（風防に向いた面と反対の面）側に配設されている。【０００４】
そして、ソーラーセルが電力を発生するためには光エネルギーを受光しなければならないことから、ある程度の光量の光が文字板の背面側に到達する必要があり、文字板は透明や半透明など、光透過性を有するものとなっている。【０００５】
ここで、文字板を形成するための一般的な材料のうち光透過性を有するものには、ガラス、プラスチック（樹脂）やセラミックスなどがあるが、単純に透明または半透明のものを用いただけでは、ソーラーセルで反射した光、すなわちソーラーセル特有の濃紫色が文字板を通過して観者に視認されるため、文字板自体の色にソーラーセルの色（濃紫色）が重畳して、文字板の色を暗い色として観者に視認させることとなり、文字板に記された時字等の視認性を低下させたり、見栄え（外観品質）の低下を招くことがある。【０００６】
一方、時計の文字板としては、金や銀、白金など金属の質感（光沢や色などに依存）を呈するものが、見栄えの観点で有利であるが、金属材料で作成された文字板は透過性がないため、ソーラーセルに光エネルギーを供給することができず、したがって、ソーラーセルを用いた時計に金属材料の文字板を採用することはできない。【０００７】
そこで、光透過性を有しつつも、背面のソーラーセルからの反射光が透過するのを抑える文字板が求められており、そのようなものとして例えば、下面（ソーラーセルに向いた面）に多数のプリズム面が形成された透過性文字板と、その下面側に設けられた半透過反射板とを有する文字板が提案されている（特許文献１）。【０００８】
この文字板によれば、透過性文字板の上面から入射した光のうち一部は下面で反射し、一部は下面を透過して半透過反射板に到達するが、透過性文字板の下面はプリズム面であるため、このプリズム面で反射される光量が、従来の、単なる平面に形成されていた下面での反射光量よりも多くなるとともに、下面のプリズム面を透過した光の一部も半透過反射板で反射するため、透過性文字板の上面側から文字板を見る観者に、文字板を明るく視認させることができる。【０００９】
しかも、半透過反射板を透過してソーラーセルに到達し、ソーラーセルで反射して透過性文字板に向かう光は、その一部が、透過性文字板の下面に形成されたプリズム面で反射されるため、ソーラーセルでの反射光のうち、透過性文字板の上面を透過して観者に視認される光量は、従来に比して極めて少なくなり、この結果、文字板の外観品質をさらに向上させることができる。【００１０】
さらに、プリズム面での反射は、全反射した光として鏡面反射に類した質感を有するものとなるため、金属の質感を呈したものとなる。【００１１】
また、透過性文字板と太陽電池との間に、導光手段を備えたものも提案されている（特許文献２）。【００１２】
これは、太陽電池付時計１として、外装ケース１１と、外装ケース１１内に配置された表示パネル２０と、表示パネル２０の裏面側に配置された太陽電池３０と、導光手段４０とを基本的な構成とするものであり、導光手段４０は、表示パネル２０を介さずに光を取り入れる光取り入れ部４１１と、光取り入れ部４１１に連続して構成されて取り入れられた光を表示パネル２０の裏面側に導いて太陽電池３０の発電面に照射する導光部４１２とを備えている。【００１３】
そして、これは、表示パネル２０が透光性を有するものである必要がないため、表示パネルとして利用できる材質等の種類に制約がない。【００１４】
また、カバーガラス側より、表示パネル、太陽電池（ソーラー基板およびソーラーセル）、拡散部（プリズムシートおよび拡散シート）となった各部材を、中央に凹部を有する導光板に配設し、この導光板の外周部の光取り入れ部から光を取り入れて、太陽電池に光を導く構造となっているため、表示パネル２０によって太陽電池３０を完全に覆い隠すことができ、これにより、カバーガラス側から太陽電池３０が透けて見えることがないため、意匠性を向上させることもできる。
【先行技術文献】
【特許文献】
【００１５】
【特許文献１】特開２００７−３３５６号公報
【特許文献２】特開２００８−２０９３６８号公報
【発明の概要】
【発明が解決しようとする課題】
【００１６】
ところで、文字板は、時計の外観的な特徴となるものであるため、商品のシリーズごとや使用者の対象別に適応するように、多種多様なものを用意する必要がある。【００１７】
また、上述した特許文献１に示された技術の場合、上面に印刷または塗装で装飾仕上げを施すことはできるが、下面に装飾仕上げを施すと、プリズムの効果が得られにくくなり、また、プリズム面から下方（ソーラーセル側）に透過する光が少なくなるために、透過性文字板の下方に位置する半透過反射板の機能が活かせなくなる等の理由によりプリズム面に装飾仕上げを施すことは難しいものとなっている。したがって、透過性文字板のデザインバリエーションの拡大を図ることができなかった。【００１８】
さらに、下面にプリズム面が予め形成された透過性文字板の上面に植字等の時字や文字などを取り付ける必要があるが、この時字や文字等を取り付ける加工の際に、下面のプリズム面は損傷を受けやすい。【００１９】
すなわち、植字（時字やロゴ等）の下面に設けられた脚部を取り付けるために、透過性文字板に小孔を開けることがあるが、この小孔は、プレス機に取り付けられている金型のパンチによって穿孔される。この穿孔の際に、金型のパンチは透過性文字板の下面のプリズム面を貫通するが、それだけでなく、プリズムの頂部（稜線部あるいは頂点部）にも強い圧力が加わるため、プリズムの頂部が潰れてプリズム面が損傷する。【００２０】
また、植字は、その脚部が小孔に通され、透過性文字板の下面に突出した脚部の先端がその下面側からカシメられて脚部が小孔から脱落しないようにすることで、透過性文字板に固定されるが、この脚部の先端のカシメ加工の際にもプリズム面が損傷を受け易いため、慎重な作業が求められており、作業性を向上させることが難しかった。【００２１】
そして、下面のプリズム面が損傷を受けると、その損傷を受けた部位での反射が適正に行われなくなるため、観者に向かって反射する光量が減り、局所的に暗く見えるなど外観品質の低下を招く。【００２２】
一方、特許文献２に示された技術の場合、下記（１）〜（３）の問題がある。（１）導光板や遮光板を必要とするため、表示部の厚さが厚くなり、この結果、太陽電池付き時計も厚くなり、ドレスウォッチや女性向け（小さいサイズ）の時計への適用が難しい（２）導光板の上面側から入射した光を反射板および拡散部を介して太陽電池に導く構造であるため、構造自体が複雑であるとともに、光の減衰が著しく、光の無駄が大きい（太陽電池に到達しない光量が多い）構造となっている（３）太陽電池と接している拡散部（プリズムシートおよび拡散シート）は、プリズムシートと拡散シートとが別体または一体的に構成されているため、構造が複雑で、取り扱いが難しいものとなっている。特に、プリズムシートにキズや汚れがつくと、拡散部の集光機能は著しく低下する。また、拡散部は太陽電池に接しているため、太陽電池やプリズムシートの頂部にもキズがつき易い。【００２３】
本発明は上記事情に鑑みなされたものであって、簡単構造で金属の質感を有する反射光を得つつ、一部を透過光としてソーラーセルに透過させるとともに、多種多様な文字板に容易に対応することができる時計用表示板を提供することを目的とする。
【課題を解決するための手段】
【００２４】
本発明に係る時計用表示板は、板状のソーラーセルを有する携帯型の時計に用いられる時計用表示板であって、光透過性文字板と、この光透過性文字板と前記ソーラーセルとの間に配設される輝度向上板と、を備え、前記輝度向上板は、平面に比べて反射光量を増大させる凹凸面を有し、前記凹凸面は、プリズム面が多数配列されたものであり、前記光透
過性文字板には、装飾又は時字が設けられ、前記光透過性文字板と前記輝度向上板との間に、または前記輝度向上板と前記ソーラーセルとの間に、第２の輝度向上板が設けられ、前記輝度向上板と前記第２の輝度向上板は、前記プリズム面が、板面内の一方向に沿って延びて形成され、前記輝度向上板と前記第２の輝度向上板とのうち少なくとも一方に、その厚さ方向に沿って貫通した貫通孔により、前記光透過性文字板側に反射する光の明暗による文字、図形、模様を形成したことを特徴とする。
【００２５】
ここで、輝度向上板は、平板状に形成された板、フィルム、シート等であって、そこに入射した光の反射量を増大させる機能を有するものであり、例えばその平板の一方の面が平面に形成され、他方の面がプリズム面等凹凸面に形成されたものなどを適用することができる。【００２６】
このような輝度向上板のプリズム面等凹凸面は、平面よりもその反射光量を増大させるものであるため、輝度向上板の入射面側から視認したとき、輝度が向上して視認される。【００２７】
なお、輝度向上板に形成されたプリズム面等凹凸面は、輝度向上板の板面内の一方向に沿って延びて形成（一方向に延びた溝状に形成）されていてもよいし、板面内の互いに直交する２方向に沿って規則的にまたはランダムに配列して幾何学模様状に形成（例えば、ピラミッド状の四角錐、この四角錐の凹凸を反転させて四角錐状に凹んだもの、三角錐、この三角錐の凹凸を反転させて三角錐状に凹んだもの、半球状等のドーム形状、このドーム形状の凹凸を反転させてドーム状に凹んだものなどを、それらの底辺同士を密着または近接させて縦横に規則正しく配列した凹凸状に形成）されていてもよい。【００２８】
このように構成された本発明に係る時計用表示板によれば、外部からこの時計用表示板に照射された光は、まず光透過性文字板に入射し、入射した光の一部はこの光透過性文字板の光透過特性にしたがって光透過性文字板を透過し、その透過した光が輝度向上板に入射する。【００２９】
輝度向上板は、前述した反射光量増大機能により、入射した光の反射光の量を増大させ、この光量が増大された反射光が光透過性文字板に戻ることにより、光透過性文字板を背面側から照射し、その光透過性文字板を背面側から照射した反射光が光透過性文字板を透過して、時計用表示板を照射した側に出射するが、反射光量が増大しているため、光透過性文字板の輝度を向上させることができる。【００３０】
しかも、輝度向上板のプリズム面等凹凸面での反射は、全反射した光として鏡面反射に類した質感を有するものとなるため、金属の質感を呈したものとなる。【００３１】
一方、光透過性文字板を透過して輝度向上板に入射した光のうち一部は、輝度向上板を透過して、この輝度向上板の背面側に配置されるソーラーセルに到達し、これにより、ソーラーセルによる起電力を得ることができる。【００３２】
また、ソーラーセルの表面では、到達した光の一部を反射させるため、そのソーラーセルの表面を形成する物質に応じた濃紫色の反射光が輝度向上板に反射されるが、このソーラーセルによる反射光は、輝度向上板によって、ソーラーセルに戻る方向に反射される量が増大し、輝度向上板を透過する方向（光透過性文字板に向かう方向）への光量（透過光量）が低下する。【００３３】
そして、この時計用表示板から出射するソーラーセルによる濃紫色の光（ソーラーセルで反射し、輝度向上板を透過し、光透過性文字板を透過した光）が低減されていることと、輝度向上板で反射して金属の質感を呈した反射光が増大していることとが相まって、この時計用表示板は、簡単構造でありながら、光透過性文字板の板面を一層明るいものとすることができる。【００３４】
さらに、本発明に係る時計用表示板によれば、植字等の時字、文字および装飾が施される、時計の顔ともいえる文字板と、輝度を向上させる輝度向上板とが物理的に分離された別体の構造であるため、光透過性文字板の形成を、輝度向上板とは分離した状態で行うことができるため、光透過性文字板への植字（時字、文字）や切分、ロゴの印刷等各種加工によって、輝度向上板の輝度向上を担う部分（例えば、プリズム面など）が損傷を受ける虞がない。【００３５】
また、光透過性文字板の背面（下面）には、印刷または塗装により装飾仕上げを施すことができるため、デザインバリエーションの拡大を図ることができる。【００３６】
したがって、光透過性文字板の加工方法が、輝度向上板との関係で制限を受けることがなく、一層多様な装飾表現や加工方法を採用して、多種多様な表現の文字板を提供することができる。【００３７】
また、板状のソーラーセルと上述した本発明に係る時計用表示板とを備えた時計によれば、簡単構造で、非金属であっても金属の質感を有する反射光を得つつ、一部を透過光としてソーラーセルに透過させるとともに、多種多様な文字板に容易に対応したものとすることができる。
【発明の効果】
【００３８】
本発明に係る時計用表示板によれば、簡単構造で、非金属であっても金属の質感を有する反射光を得つつ、一部を透過光としてソーラーセルに透過させるとともに、多種多様な文字板に容易に対応することができる。【００３９】
また、非金属の時計表示板であるものは、電波を透過させることができ、したがって、電波を受けて時刻等を自動的に調整する電波修正機能をも備えた、電波修正機能付きのソーラー時計（太陽電池付き時計）に適用するのに好適である。
【図面の簡単な説明】
【００４０】
【図１】本発明の一実施形態を示す外観図である。
【図２】図１に示した時計における時計用表示板およびソーラーセルの配置を示す断面図である。
【図３Ａ】輝度向上フィルムの背面に形成されたプリズム面を臨んだ、斜め下方から見た斜視図である。
【図３Ｂ】プリズム面での光の反射を説明した模式図である。
【図４】図２に示した実施形態の変形例（変形例１）を示す断面図であり、プリズム面を光透過性文字板の側に向けた構成のものを表す。
【図５Ａ】図２に示した実施形態の変形例（変形例２）を示す、プリズム面が直交する２方向に規則正しく格子状に配列された輝度向上フィルムを斜め下方から見た斜視図である。
【図５Ｂ】図５Ａの凹凸面の凹凸を反転させた凹凸面を有する輝度向上フィルムを、図５Ａと同じく斜め下方から見た斜視図である。
【図６Ａ】図２に示した実施形態の変形例（変形例３）を示す断面図であり、第１の輝度向上フィルムのプリズム面をソーラーセルの側に向け、第２の輝度向上フィルムのプリズム面を光透過性文字板の側に向けた構成のものを表す。
【図６Ｂ】図２に示した実施形態の変形例（変形例３）を示す断面図であり、第１の輝度向上フィルムのプリズム面を光透過性文字板の側に向け、第２の輝度向上フィルムのプリズム面も光透過性文字板の側に向けた構成のものを表す。
【図６Ｃ】図２に示した実施形態の変形例（変形例３）を示す断面図であり、第１の輝度向上フィルムのプリズム面をソーラーセルの側に向け、第２の輝度向上フィルムのプリズム面もソーラーセルの側に向けた構成のものを表す。
【図６Ｄ】図２に示した実施形態の変形例（変形例３）を示す断面図であり、第１の輝度向上フィルムのプリズム面を光透過性文字板の側に向け、第２の輝度向上フィルムのプリズム面をソーラーセルの側に向けた構成のものを表す。
【図７Ａ】図２に示した実施形態の変形例（変形例４）を示す断面図であり、第１の輝度向上フィルムのプリズム面をソーラーセルの側に向け、第２の輝度向上フィルムのプリズム面を光透過性文字板の側に向けた構成のものを表す。
【図７Ｂ】図２に示した実施形態の変形例（変形例４）を示す断面図であり、第１の輝度向上フィルムのプリズム面を光透過性文字板の側に向け、第２の輝度向上フィルムのプリズム面も光透過性文字板の側に向けた構成のものを表す。
【図７Ｃ】図２に示した実施形態の変形例（変形例４）を示す断面図であり、第１の輝度向上フィルムのプリズム面をソーラーセルの側に向け、第２の輝度向上フィルムのプリズム面もソーラーセルの側に向けた構成のものを表す。
【図７Ｄ】図２に示した実施形態の変形例（変形例４）を示す断面図であり、第１の輝度向上フィルムのプリズム面を光透過性文字板の側に向け、第２の輝度向上フィルムのプリズム面をソーラーセルの側に向けた構成のものを表す。
【図８Ａ】図７Ｂに示した実施形態の変形例（変形例４の変形例）を示す断面図である。
【図８Ｂ】図４に示した実施形態の変形例（変形例１の変形例）を示す断面図である。
【図９Ａ】図２に示した実施形態の変形例（変形例５）を示す断面図であり、プリズム面をソーラーセルの側に向けた構成のものを表す。
【図９Ｂ】図２に示した実施形態の変形例（変形例５）を示す断面図であり、プリズム面を光透過性文字板の側に向けた構成のものを表す。
【図１０Ａ】図２に示した実施形態の変形例（変形例６）を示す断面図であり、プリズム面をソーラーセルの側に向けた構成のものを表す。
【図１０Ｂ】図２に示した実施形態の変形例（変形例６）を示す断面図であり、プリズム面を光透過性文字板の側に向けた構成のものを表す。
【図１０Ｃ】図２に示した実施形態の変形例（変形例６）を示す断面図であり、図１０Ａに示したものにさらに装飾層を追加したものである。
【発明を実施するための形態】
【００４１】
以下、本発明に係る時計用表示板およびその時計用表示板を用いた時計の具体的な実施形態について、図面を参照して説明する。
【００４２】
図１は、本発明の一実施形態の時計用表示板を用いた時計（例えば、携帯型の時計）２００を示す外観図である。
【００４３】
図示の時計２００は、時計本体１１０とこの時計本体１１０を使用者の腕に着脱させる時計バンド１９２とを備え、時計本体１１０は、金属製のケース１２０と、時針、分針および秒針などの指針１９１等を駆動させる機構であるムーブメント１４０と、ムーブメント１４０の動力として設けられたソーラーセル１３０と、指針１９１とソーラーセル１３０との間に設けられた時計用表示板１５０とを備えている。
【００４４】
ここで、ソーラーセル１３０は図１の紙面に沿った平板状に形成されていて、時計用表示板１５０がこのソーラーセル１３０を覆っている。
【００４５】
また、時計用表示板１５０に入射する光量を１００％とした場合、ソーラーセル１３０に入射する光量が１０％以上あれば、ソーラーセル１３０は電力を発生し、その発生した電力は、時計２００を駆動するのに十分なエネルギーとなる。
【００４６】
時計用表示板１５０は、図２にその断面を示すように、光透過性文字板１５１と、この光透過性文字板１５１とソーラーセル１３０との間に、これらとは別体に配設される輝度向上フィルム１６１(輝度向上板の一例として）とを備えている。
【００４７】
光透過性文字板１５１は、そのおもて面１５２の表面（ひょうめん）に時刻に対応した植字（時字、文字）やブランド名、ロゴ、その他の装飾等を印刷または貼付、カシメ、刻字等により形成するとともに、可視光波長域の光に対して透過する光学特性（透明または半透明）を有するものである。
【００４８】
なお、この光透過性文字板１５１は、ポリカーボネート樹脂製のものであるが、このポリカーボネート樹脂製のものに限定されるものではなく、他の種類の樹脂であってもよいし、また、樹脂以外の、例えばガラス製、サファイヤ製、セラミックス製等であってもよい。
【００４９】
輝度向上フィルム１６１は、可視光波長域の光に対して透明度が高い樹脂（例えば、ポリエステル樹脂やアクリル系樹脂等）により形成され、一方の側の面（図２のものでは、ソーラーセル１３０に向いた側の面１６３（以下、背面１６３という。））に、プリズム面１６４が多数配列された凹凸面が形成されている。
【００５０】
この輝度向上フィルム１６１においては、プリズム面１６４が、図３Ａの斜視図に示すように、背面１６３内（板面内）の一方向に沿って延びて溝状に形成されている。
【００５１】
このプリズム面１６４は、図示した一方向に直線状に延びたものの他、渦巻き状や同心円状に延びて形成されたものであってもよい。
【００５２】
プリズム面１６４は、例えば図３Ｂに示すように、頂角が直角（９０［度］）に形成されているとともに、隣接するプリズム面１６４，１６４がなす角度も直角（９０［度］）に形成されている。
【００５３】
この結果、光透過性文字板１５１の外部（時計２００の風防側）から輝度向上フィルム１６１のおもて面１６２に直交して入射した光（入射角度０［度］の光）は、２つのプリズム面１６４で全反射して、入射したおもて面１６２の側に戻る。
【００５４】
また、輝度向上フィルム１６１のおもて面１６２に直交以外の角度で入射した光の多くも、２つのプリズム面１６４で全反射して入射したおもて面１６２の側に戻り、輝度向上フィルム１６１のおもて面１６２に対する入射角度が大きい光の一部は、プリズム面１６４で屈折して背面１６３から出射（輝度向上フィルム１６１を透過）し、ソーラーセル１３０に到達する。
【００５５】
このように、外部から光透過性文字板１５１に照射された光は、まず光透過性文字板１５１に入射し、入射した光の一部はこの光透過性文字板１５１の光透過特性にしたがって光透過性文字板１５１を透過し、その透過した光が輝度向上フィルム１６１に入射する。
【００５６】
輝度向上フィルム１６１は、上述したプリズム面１６４での反射により、入射した光に対する反射光の光量を増大させ、この光量が増大された反射光が光透過性文字板１５１に戻ることにより、光透過性文字板１５１を、その背面１５３側から照射し、その光透過性文字板１５１を背面１５３側から照射した反射光が光透過性文字板１５１を透過して、そのおもて面１５２から、光透過性文字板１５１を照射した側に出射するが、反射光量が増大しているため、光透過性文字板１５１の輝度を向上させることができる。
【００５７】
しかも、輝度向上フィルム１６１のプリズム面１６４での反射は、全反射した光として鏡面反射に類した質感を有するものとなるため、金属の質感（光沢や色など）を呈したものとなる。
【００５８】
一方、このソーラーセル１３０に到達した光（透過光）は、ソーラーセル１３０の光起電力効果により電力としてムーブメント１４０を駆動し、このムーブメント１４０の駆動により、指針１９１等を駆動させる。
【００５９】
また、ソーラーセル１３０に到達した透過光は、ソーラーセル１３０の表面で、その一部が反射するため、そのソーラーセル１３０の表面を形成する物質に応じた濃紫色の反射光が輝度向上フィルム１６１に反射されるが、このソーラーセル１３０による反射光は、輝度向上フィルム１６１の背面１６３に形成されたプリズム面１６４によって、ソーラーセル１３０に戻る方向に反射される量が増大し、輝度向上フィルム１６１を透過する方向（光透過性文字板１５１に向かう方向）への光量（透過光量）が低下する。
【００６０】
以上の通り、本実施形態の時計用表示板１５０によれば、この時計用表示板１５０から外部（使用者）に向けて出射する、ソーラーセル１３０による濃紫色の光（ソーラーセル１３０で反射し、輝度向上フィルム１６１を透過し、光透過性文字板１５１を透過した光）が低減されていることと、輝度向上フィルム１６１で反射して金属の質感を呈した反射光が増大していることとが相まって、この時計用表示板１５０は、光透過性文字板１５１の板面を一層明るいものとすることができる。
【００６１】
この結果、光透過性文字板１５１として、種々の異なる色のものを用いた場合に、その色の微差も識別することが可能となり、光透過性文字板１５１として、色彩や階調のわずかに異なるものを適用することが可能となる。
【００６２】
しかも、本実施形態の時計用表示板１５０は、輝度向上フィルム１６１と時計の顔ともいえる文字板である光透過性文字板１５１とが別体の構造であるため、光透過性文字板１５１に、植字装着用の小孔開けや、この小孔への植字（時字、文字）の取り付けや、ブランド名、ロゴ、切分等を各種印刷（パッド印刷、スクリーン印刷、オフセット印刷等）での形成や、その他印刷や塗装等で装飾を施すに際し、光透過性文字板１５１を輝度向上フィルム１６１から分離しておくことにより、輝度向上フィルム１６１の輝度向上を担う部分（例えば、プリズム面１６４など）が損傷を受ける虞がない。
【００６３】
したがって、光透過性文字板１５１の加工方法が、輝度向上フィルム１６１との関係で制限を受けることがなく、一層多様な装飾表現や加工方法を採用して、多種多様な表現の文字板を提供することができる。
【００６４】
その上、光透過性文字板１５１は、おもて面１５２への装飾はもとより、背面１５３への装飾も可能であることより、視覚的に立体感のある表現の装飾も可能となり、デザインバリエーションの拡大を図ることもできる。
【００６５】
さらに、光透過性文字板１５１、輝度向上フィルム１６１はともに、可視光に対して透過性を有するものであるため、光透過性文字板１５１のおもて面１５２および背面１５３、並びに輝度向上フィルム１６１のおもて面１６２および背面１６３にそれぞれ、時計用表示板１５０の外部から視認可能の装飾等を施すことができ、各面ごとに異なる装飾を施すなどした複雑な表現の装飾等を施すこともできる。
【００６６】
（変形例１）
上述した実施形態の時計用表示板１５０は、輝度向上フィルム１６１のプリズム面１６４がソーラーセル１３０に対向する配置（背面１６３がプリズム面１６４に形成されている）のものであるが、本発明に係る時計用表示板は、この形態に限定されるものではなく、図４に示すように、輝度向上フィルム１６１のプリズム面１６４が光透過性文字板１５１に対向する配置（おもて面１６２がプリズム面１６４に形成されている）のものであってもよい。
【００６７】
そして、このように構成された実施形態（変形例１）の時計用表示板１５０によっても、上述した実施形態の時計用表示板１５０（図２）と同様の作用、効果を得ることができる。
【００６８】
すなわち、光透過性文字板１５１の外部（時計２００の風防側）から輝度向上フィルム１６１のおもて面１６２に入射した光の多くは、プリズム面１６４で反射して光透過性文字板１５１に向かって戻るため、光透過性文字板１５１の輝度を向上させることができる。
【００６９】
このとき、輝度向上フィルム１６１のプリズム面１６４は、光透過性文字板１５１から入射した光に対して全反射はし難いため、上記実施形態のような金属的な質感は小さくなるものの、プリズム面１６４での反射は平面での反射よりも大きいため、光透過性文字板１５１に戻る反射光量が増大し、輝度（例えば、白さ等の明るさ）を向上させることができる。
【００７０】
変形例１が奏する他の作用効果については、上述した実施形態が奏する作用、効果と同様である。
【００７１】
なお、輝度向上フィルム１６１が、プリズム面１６４（凹凸面）を光透過性文字板１５１に対向させた姿勢で配置された状態（図４に示した状態）と、プリズム面１６４をソーラーセル１３０に対向させた姿勢で配置された状態（図２に示した状態）とで、光透過性文字板１５１の側からソーラーセル１３０に向けて透過する光の透過率が異なるように設定されているものである場合には、上述した実施形態の時計用表示板１５０（図２）と変形例１の時計用表示板１５０（図４）とで、観者の側への反射光の光量に差異が生じるため、光透過性文字板１５１の明るさに差異が生じる。
【００７２】
したがって、時計２００に設置する際の輝度向上フィルム１６１の表裏面（おもて面１６２と背面１６３）を入れ替える配置によって、光透過性文字板１５１の明るさを２通りに変えることができる。
【００７３】
また、変形例１の時計用表示板１５０によると、プリズム面１６４が輝度向上フィルム１６１のおもて面１６２側に位置しているときと、プリズム面１６４が輝度向上フィルム１６１の背面１６３側に位置しているときとで、観者に対して、観者からプリズム面１６４までの距離に差が生じることによる距離感（奥行き感）の違いを与えたり、プリズム面１６４による観者への反射光が、輝度向上フィルム１６１の内部を通過した光であるのか（プリズム面１６４が輝度向上フィルム１６１の背面１６３側に位置している構成の場合）、輝度向上フィルム１６１の内部を通過していない光であるのか（プリズム面１６４が輝度向上フィルム１６１のおもて面１６２側に位置している構成の場合）の差異による質感の違いを与えることができるため、観者に与えようとする距離感や質感に応じて、輝度向上フィルム１６１のプリズム面１６４の配置向きを選択することができる。
【００７４】
（変形例２）
本実施形態の時計用表示板１５０は、輝度向上フィルム１６１として、そのプリズム面１６４が一方向に沿って延びて溝状に形成されているものを適用したものであるが、本発明の時計用表示板はこの形態に限定されるものではなく、図５に示すように、そのプリズム面１６４が、輝度向上フィルム１６１の背面１６３内の互いに直交する２方向に沿って規則的に配列して形成されている輝度向上フィルム１６１（幾何学模様状に形成（例えば、ピラミッド状の四角錐を、それらの底辺同士を密着させて縦横に規則正しく格子状に配列した凹凸状に形成））を有するものであってもよい。
【００７５】
なお、プリズム面１６４は、輝度向上板の板面内の一方向に沿って延びて形成（一方向に延びた溝状に形成）されているが、上述した実施形態や変形例においては、プリズム面１６４に代えてプリズム面以外の各種凹凸面を適用することができる。
【００７６】
ここで、凹凸面としては、板面内の互いに直交する２方向に沿って規則的にまたはランダムに配列して幾何学模様状に形成されたもの（例えば、ピラミッド状に突出した四角錐（図５Ａ）、四角錐の凹凸を反転させて四角錐状に凹んだもの（例えば、図５Ｂ）、突出した三角錐、三角錐の凹凸を反転させて三角錐状に凹んだもの、突出した円錐、円錐の凹凸を反転させて円錐状に凹んだもの、半球状等の突出したドーム形状、またはドーム形状の凹凸を反転させてドーム状に凹んだものなどを、それらの底辺同士を密着または近接させて縦横に規則正しくまたはランダムに多数配列して凹凸状に形成されたもの）などを適用することができる。以下の変形例においても、プリズム面に代えて上述した各種凹凸面を適用することができる。
【００７７】
また、本発明の時計用表示板は、そのプリズム面１６４が、輝度向上フィルム１６１の背面１６３内でランダムに配列して形成されている輝度向上フィルム１６１（幾何学模様状に形成（例えば、ピラミッド状の四角錐を、ランダムに配列した凹凸状に形成））を有するものであってもよい。
【００７８】
上述した実施形態１の時計用表示板１５０は、輝度向上フィルム１６１のプリズム面１６４が一方向にのみ沿って延びているため、観者がこの時計用表示板１５０を斜め方向（光透過性文字板１５１のおもて面１５２に対して直交以外の角度方向）から見た場合、視線方向がプリズム面１６４の延びている方向を含む面内にあるときと、視線方向がプリズム面１６４の延びている方向を含む面内にないときとで、観者には、ソーラーセル１３０からの反射光の光量に差異があるように視認される。
【００７９】
すなわち、輝度向上フィルム１６１を斜め方向より見た場合、視線方向がプリズム面１６４の延びている方向を含む面内にあるときは、視線方向がプリズム面１６４の延びている方向を含む面内にないときよりも、プリズム面１６４での反射光量が多いため、相対的に明るく視認される。
【００８０】
これに対して、プリズム面１６４が、輝度向上フィルム１６１の背面１６３内の２方向に沿って規則的に配列して形成されている輝度向上フィルム１６１や、プリズム面１６４が、輝度向上フィルム１６１の背面１６３内でランダムに配列して形成されている輝度向上フィルム１６１を有する時計用表示板１５０では、観者の視線方向の如何に拘わらず、プリズム面１６４での反射光量の差異は低減するため、光透過性文字板１５１に対する輝度向上フィルム１６１の相対的な向き（回転中心回りの角度）に特段の注意を払うことなく、したがって、光透過性文字板１５１と輝度向上フィルム１６１との組み立てを容易にすることができる。
【００８１】
なお、このように構成された実施形態（変形例２）の時計用表示板１５０によっても、上述した実施形態の時計用表示板１５０（図２）と同様の作用、効果を得ることができる。
【００８２】
（変形例３）
輝度向上フィルム１６１として、そのプリズム面１６４が一方向に沿って延びて溝状に形成されているものを適用した時計用表示板１５０（図２または図４の実施形態）において、図６Ａ，図６Ｂ，図６Ｃまたは図６Ｄに示すように、輝度向上フィルム（第１の輝度向上フィルム）１６１とソーラーセル１３０との間に、さらに他の輝度向上フィルム（第２の輝度向上フィルム）１７１が設けられたものとし、しかも、第１の輝度向上フィルム１６１と第２の輝度向上フィルム１７１とは、それぞれに形成されたプリズム面１６４，１７４の延びた方向が、両輝度向上フィルム１６１，１７１の重なり方向に沿った投影状態において直交するように配設されたものを適用することができる。
【００８３】
すなわち、図６において、第１の輝度向上フィルム１６１のプリズム面１６４は紙面の奥行き方向に延びて形成されており、一方、第２の輝度向上フィルム１７１のプリズム面１７４は紙面に沿って図示幅方向に延びて形成されている。
【００８４】
さらに、図６Ａのものでは、第１の輝度向上フィルム１６１のプリズム面１６４と第２の輝度向上フィルム１７１のプリズム面１７４とが対向する配置とされている。
【００８５】
なお、第２の輝度向上フィルム１７１は、プリズム面１７４の延設されている方向が異なる以外、第１の輝度向上フィルム１６１と同じ構成である。
【００８６】
このように、２つのプリズム面１６４，１７４が互いに直交する向きに延びるように配置された２つの輝度向上フィルム１６１，１７１を備えた時計用表示板１５０によれば、観者がこの時計用表示板１５０を斜め方向（光透過性文字板１５１のおもて面１５２に対して直交以外の角度方向）から見た場合、視線方向が一方のプリズム面１６４（またはプリズム面１７４）の延びている方向を含む面内にあるときであっても、他方のプリズム面１７４（またはプリズム面１６４）の延びている方向を含む面内にないため、観者には、ソーラーセル１３０からの反射光の光量に差異が視認されない。
【００８７】
これはすなわち、２つの輝度向上フィルム１６１，１７１の組合わせにより、変形例２として図５に示した１つの輝度向上フィルム１６１（その背面１６３内の互いに直交する２方向に沿ってプリズム面１６４が規則的に配列して形成されている）によるのと同様の作用、効果を得るものである。
【００８８】
上述した変形例２の、互いに直交する２方向に沿ってプリズム面１６４が規則的に配列された輝度向上フィルム１６１の製造には、非常に高度で精密な製造技術が要求されるため、製造コストが高くなり、１方向のみに沿って延びたプリズム面１６４が形成された輝度向上フィルム１６１の２つ分よりも高価なものとなる。
【００８９】
したがって、高価な１つの輝度向上フィルム１６１（図５の変形例２）に代えて、比較的安価な輝度向上フィルム１６１（図２の実施形態または図４の変形例１）を２つ組み合わせることで、視線方向に応じた反射の明暗差の発生を防止しつつ、時計用表示板１５０全体のコストを低減することができる。
【００９０】
また、このように２つの輝度向上フィルム１６１，１７１を重ねて配置した構成により、単一の輝度向上フィルム１６１を用いた既述の実施形態の時計用表示板１５０に比べて反射光量を増加させることができるため、光透過性文字板１５１を、より明るいものとすることができる。
【００９１】
なお、このように構成された実施形態（変形例３）の時計用表示板１５０によっても、上述した実施形態の時計用表示板１５０（図２）と同様の作用、効果も得ることができる。
【００９２】
また、上述した実施形態（変形例３）の時計用表示板１５０は、第１の輝度向上フィルム１６１のプリズム面１６４がソーラーセル１３０に近い側の面に形成され、かつ第２の輝度向上フィルム１７１のプリズム面１７４が光透過性文字板１５１に近い側の面に形成された状態での配置（図６Ａ）、第１の輝度向上フィルム１６１のプリズム面１６４が光透過性文字板１５１に近い側の面に形成され、かつ第２の輝度向上フィルム１７１のプリズム面１７４も光透過性文字板１５１に近い側の面に形成された状態での配置（図６Ｂ）、第１の輝度向上フィルム１６１のプリズム面１６４がソーラーセル１３０に近い側の面に形成され、かつ第２の輝度向上フィルム１７１のプリズム面１７４もソーラーセル１３０に近い側の面に形成された状態での配置（図６Ｃ）、または第１の輝度向上フィルム１６１のプリズム面１６４が光透過性文字板１５１に近い側の面に形成され、かつ第２の輝度向上フィルム１７１のプリズム面１７４がソーラーセル１３０に近い側の面に形成された状態での配置（図６Ｄ）のいずれであってもよい。
【００９３】
また、これら４つの配置のうち任意の１つの組合わせの配置を選択可能とされているものとしてもよく、これら２つの輝度向上フィルム１６１，１７１の各プリズム面１６４，１７４の配置の組合わせを替えることで、反射の程度を容易に切り換えることができるため、ソーラーセル１３０の透け・見えの程度を簡単に切り換えることができ、これにより光透過性文字板１５１の明るさを容易に切り換えることができる。
【００９４】
なお、反射の程度を高めると、光透過性文字板１５１が明るくなるとともに、金属的な質感がより強く表れて高級感を演出することができ、一方、反射の程度を低くすると、金属的な質感は抑制されるが、透過性が高められるため、輝度向上フィルム１７１とソーラーセル１３０との間に、色彩のある半透明板などをさらに配置した構成を採用することで、観者に対して、ソーラーセル１３０の反射光を抑えつつ、半透明板の色調を視認させることができ、多様な色調表現も可能となる。
【００９５】
しかも、１つの輝度向上フィルム１６１だけでは表現できなかった深み（奥行き感）のある表現、方向性のある見え方の緩和も可能となる。
【００９６】
この２つの輝度向上フィルム１６１，１７１のプリズム面１６４，１７４の配置の組合わせは、後述する他の実施形態にも同様に適用可能である。
【００９７】
（変形例４）
上述した実施形態（変形例３）は、第１の輝度向上フィルム１６１に形成されたプリズム面１６４と第２の輝度向上フィルム１７１に形成されたプリズム面１７４とが、その延びる方向が投影面上で直交するように形成されたものであるが、図７Ａ，図７Ｂ，図７Ｃまたは図７Ｄに示すように、両プリズム面１６４，１７４の延びる方向が一致する（平行となる）ように、両輝度向上フィルム１６１，１７１を配置した構成を採用することもできる。
【００９８】
このように、両プリズム面１６４，１７４の延びる方向が一致する２つの輝度向上フィルム１６１，１７１を重ねて配置した実施形態（変形例４）の時計用表示板１５０では、変形例３の時計用表示板１５０のように、視線方向に応じた反射の明暗差の発生を防止することはできないが、変形例３と同様に、単一の輝度向上フィルム１６１を用いた他の実施形態の時計用表示板１５０に比べて反射光量を増加させることができるため、光透過性文字板１５１を、より明るいものとすることができる。
【００９９】
なお、このように構成された実施形態（変形例４）の時計用表示板１５０によっても、上述した実施形態の時計用表示板１５０（図２）と同様の作用、効果も得ることができる。
【０１００】
上述した変形例３，４の時計用表示板１５０において、第１の輝度向上フィルム１６１と第２の輝度向上フィルム１７１とのうち少なくとも一方に、その厚さ方向に沿って貫通した貫通孔により、光透過性文字板１５１側に反射する光の明暗による模様を形成してもよい。
【０１０１】
すなわち、変形例３，４の時計用表示板１５０は、２つの輝度向上フィルム１６１，１７１が重ね合わされていることで、１つの輝度向上フィルム１６１の時計用表示板１５０（実施形態、変形例１，２）よりも明るい反射光を得ているが、例えば図８Ａに示すように、これら輝度向上フィルム１６１，１７１の一方（例えば輝度向上フィルム１６１）に、その厚さ方向に貫通する貫通孔１６５が形成されていると、その貫通孔１６５の部分は、輝度向上フィルム１６１，１７１が２枚重ねとならずに、１枚の輝度向上フィルム１７１のみでの反射となり、この貫通孔１６５の部分については、１つの輝度向上フィルム１６１だけしか備えない態様の時計用表示板１５０（実施形態、変形例１，２）と実質的に同じ構成となる。
【０１０２】
したがって、貫通孔１６５が形成されている部分（１つの輝度向上フィルム１７１で反射する部分）と貫通孔１６５が形成されていない部分（２つの輝度向上フィルム１６１，１７１で反射する部分）とで、反射光の光量に差異が生じ、観者側からはその貫通孔１６５の形成された部分は貫通孔１６５が形成されていない部分よりも相対的に暗く視認される。
【０１０３】
つまり、観者には、貫通孔１６５の外周の輪郭形状で囲まれた内部領域（貫通孔１６５の部分）と輪郭形状よりも外側の領域（貫通孔１６５でない部分）との明暗差が視認されるため、その貫通孔１６５の輪郭形状を文字、図形、模様などに対応させることで、観者に対してその文字、図形、模様などを明暗差によって視認させることができる。
【０１０４】
なお、図８Ａの例は、図７Ｂに示した実施形態の時計用表示板１５０における第１の輝度向上フィルム１６１に対して貫通孔１６５を形成したものであるが、貫通孔１６５の形成による文字、図形、模様を視認させる構成は、この形態に限定されるものではなく、図７Ｂに示した実施形態の時計用表示板１５０における第２の輝度向上フィルム１７１に対して、第１の輝度向上フィルム１６１の貫通孔１６５と同様の貫通孔を形成したものであってもよいし、その他に、図６Ａ，図６Ｂ，図６Ｃ，図６Ｄまたは図７Ａ，図７Ｃ，図７Ｄに示した実施形態の時計用表示板１５０における第１の輝度向上フィルム１６１あるいは第２の輝度向上フィルム１７１に対して、第１の輝度向上フィルム１６１の貫通孔１６５と同様の貫通孔を形成したものであってもよい。
【０１０５】
この実施形態においても、変形例３において説明したように、（１）第１の輝度向上フィルム１６１のプリズム面１６４がソーラーセル１３０に近い側の面に形成され、かつ第２の輝度向上フィルム１７１のプリズム面１７４もソーラーセル１３０に近い側の面に形成された状態での配置（図７Ｃ）、（２）第１の輝度向上フィルム１６１のプリズム面１６４が光透過性文字板１５１に近い側の面に形成され、かつ第２の輝度向上フィルム１７１のプリズム面１７４がソーラーセル１３０に近い側の面に形成された状態での配置（図７Ｄ）、（３）第１の輝度向上フィルム１６１のプリズム面１６４がソーラーセル１３０に近い側の面に形成され、かつ第２の輝度向上フィルム１７１のプリズム面１７４が光透過性文字板１５１に近い側の面に形成された状態での配置（図７Ａ）、（４）第１の輝度向上フィルム１６１のプリズム面１６４が光透過性文字板１５１に近い側の面に形成され、かつ第２の輝度向上フィルム１７１のプリズム面１７４も光透過性文字板１５１に近い側の面に形成された状態での配置（図７Ｂ）のうちいずれか１つであってもよく、また、これら４つの配置のうち任意の１つの組合わせの配置を選択可能とされているものとしてもよく、これら２つの輝度向上フィルム１６１，１７１の各プリズム面１６４，１７４の配置の組合わせを替えることで、反射の程度を容易に切り換えることができるため、ソーラーセル１３０の透け・見えの程度を簡単に切り換えることができ、これにより光透過性文字板１５１の明るさを容易に切り換えることができる。
【０１０６】
また、上述した（１）〜（４）の各配置の構成においては、第１の輝度向上フィルム１６１のプリズム面１６４の延びた方向と、第２の輝度向上フィルム１７１のプリズム面１７４が延びた方向とが、第１の輝度向上フィルム１６１と第２の輝度向上フィルム１７１との重なり方向（厚さ方向）に沿った投影状態において、０［度］から９０［度］の角度範囲のうち任意の角度で交差する状態を選択可能に配設されているものとしてもよい。
【０１０７】
このように、交差の角度を任意に選択可能に構成されているものでは、交差角度を調整することにより、光の透過率を、その交差の角度に応じて変化させることができ、この時計用表示板１５０に求められる光の透過率、反射率または明るさに対応したものとすることができる。
【０１０８】
例えば、上述した（１）の配置の場合、（ａ）交差の角度０［度］（プリズム面１６４，１７４の延びる方向が違いに平行）のとき、光の反射率は３０〜４０［％］（ｂ）交差の角度４５［度］のとき、光の反射率は７０〜８５［％］（ｃ）交差の角度６７．５［度］のとき、光の反射率は７０〜８５［％］（ｄ）交差の角度９０［度］のとき、光の反射率は７０〜９０［％］となる。
【０１０９】
また、上述した（３）の配置の場合、（ａ）交差の角度０［度］（プリズム面１６４，１７４の延びる方向が違いに平行）のとき、光の反射率は６０〜９０［％］（ｂ）交差の角度４５［度］のとき、光の反射率は５０〜８０［％］（ｃ）交差の角度６７．５［度］のとき、光の反射率は５０〜７０［％］（ｄ）交差の角度９０［度］のとき、光の反射率は５０〜６５［％］となる。
【０１１０】
なお、上述した図８Ａの例は、２つの輝度向上フィルム１６１，１７１のうち一方の輝度向上フィルム１６１に貫通孔１６５を形成して文字、図形、模様を視認させるものであるが、図８Ｂに示すように、単一の輝度向上フィルム１６１のみを備えた時計用表示板１５０（例えば、図４）によっても、図８Ａに示した例と同じように、文字、図形、模様を視認させることができる。
【０１１１】
すなわち、図８Ｂに示した時計用表示板１５０は輝度向上フィルム１６１のプリズム面１６４の一部を、視認させたい文字、図形、模様の形で潰したものであり、その潰された部分１６４ａは潰されていない部分よりも反射率が低下するため、プリズム面１６４の潰された部分と潰されていない部分との反射率の差により、文字、図形、模様を視認させることができる。
【０１１２】
なお、図８Ｂに示した時計用表示板１５０において、輝度向上フィルム１６１のプリズム面１６４をソーラーセル１３０の側に向けた構成（図２に示した実施形態の時計用表示板１５０において、プリズム面１６４の一部を潰した構成）によっても、図８Ｂと同様に、文字、図形、模様を視認させることができる。
【０１１３】
（変形例５）
上述した各実施形態の時計用表示板１５０において、光透過性文字板１５１と輝度向上フィルム１６１との間に、光透過性の反射塗膜１８０を有する構成も本発明の実施形態として採用することができる。
【０１１４】
すなわち、例えば図９Ａは、図２に示した時計用表示板１５０の光透過性文字板１５１と輝度向上フィルム１６１との間に光透過性の反射塗膜１８０を有する構成の実施形態を示すものであり、図９Ｂは、図４に示した時計用表示板１５０の光透過性文字板１５１と輝度向上フィルム１６１との間に光透過性の反射塗膜１８０を有する構成の実施形態を示すものである。
【０１１５】
ここで、光透過性の反射塗膜１８０としては、例えばパールの微小粉末を分散した透明膜（ウレタン樹脂やエポキシ樹脂などの透明な樹脂の膜）などを適用することができ、厳密には図９Ａや図９Ｂに示したように単独で存在する膜体ではなく、図９Ａに示した構成にあっては、光透過性文字板１５１の背面１５３に、または輝度向上フィルム１６１のおもて面１６２に、印刷または塗装の手法で成膜されている。また、図９Ｂに示した構成にあっては、光透過性文字板１５１の背面１５３に、印刷または塗装の手法で成膜されている。
【０１１６】
透明膜に分散されている物体としては、上述したパールの微小粉末の他に、貝、雲母、チタン金属、アルミナ、酸化珪素などの微小粉末を適用することができる。
【０１１７】
このように、構成された実施形態（変形例５）の時計用表示板１５０によれば、光透過性の反射塗膜１８０の無い各実施形態の時計用表示板１５０と同様の作用、効果を得ることができるとともに、光透過性の反射塗膜１８０に入射した光が、光透過性の反射塗膜１８０におけるパールの微小粉末で不規則に反射するため、その不規則に反射した光が観者に視認されると、キラキラとした光輝感となり、観者に高級感を与えることができる。
【０１１８】
なお、透明膜に分散されている物体が、貝、雲母、チタン金属、アルミナ、酸化珪素などの微小粉末である光透過性の反射塗膜１８０を有する時計用表示板１５０によっても、パールの微小粉末を分散物体とした光透過性の反射塗膜１８０を有する時計用表示板１５０の場合と同様の効果を得ることができる。
【０１１９】
また、光透過性の反射塗膜１８０の、透明膜に分散させる分散物体の量や大きさ、分散度合いなどを調整し、または透明膜自体の色彩や透明度を調整することにより、光透過性文字板１５１から輝度向上フィルム１６１に到達する光の量を容易に調整することができる。
【０１２０】
（変形例６）
上述した各実施形態（実施形態、変形例１〜４）の時計用表示板１５０において、光透過性文字板１５１と輝度向上フィルム１６１との間に、光透過性の反射光学層１８５を有する構成も本発明の実施形態として採用することができる。
【０１２１】
すなわち、例えば図１０Ａは、図２に示した時計用表示板１５０の光透過性文字板１５１と輝度向上フィルム１６１との間に光透過性の反射光学層１８５を有する構成の実施形態を示すものであり、図１０Ｂは、図４に示した時計用表示板１５０の光透過性文字板１５１と輝度向上フィルム１６１との間に光透過性の反射光学層１８５を有する構成の実施形態を示すものである。
【０１２２】
また、図１０Ｃに示すように、図２に示した時計用表示板１５０の光透過性文字板１５１と輝度向上フィルム１６１との間に、光透過性の反射光学層１８５と装飾効果を付与する装飾層１８６とを有する構成も、本発明の実施形態として適用することができる。
【０１２３】
ここで、光透過性の反射光学層１８５としては、例えば酸化チタン（ＴｉＯ2 ）、酸化アルミニウム（Ａｌ2 Ｏ3 ）、酸化シリコン（ＳｉＯ2 ）、酸化ジルコニウム（ＺｒＯ2 ）等の薄膜であり、反射率と色調（透明膜から各種カラーのものまで）は薄膜設計によって自由に変えることが可能である。
【０１２４】
反射光学層１８５としては、その反射率が１［％］から５０［％］程度のものを用い、本実施形態では反射率約２０［％］のものを用いている。
【０１２５】
装飾層１８６としては、例えばシリコン微粒子などを透明インキ（塗料を含む）に入れたつや消し膜を使用することできる。また、光透過性のカラーインキ（塗料を含む）を使用してもよい。
【０１２６】
装飾層１８６を追加した実施形態のものでは、時計用表示板１５０の明るさや色調の設計の自由度を高めて、様々なデザインに対応できるようにすることができるため、従来にはない明るさや色調を表現することができる。
【０１２７】
このとき、この薄膜設計により、酸化膜の種類だけでなく薄膜層の層数（単層、多層）も任意に選択可能である。
【０１２８】
また、この薄膜を形成する手段としては、蒸着、スパッタリング、イオンプレーティング等の加工方法を適用することができる。
【０１２９】
なお、本実施形態の光透過性の反射光学層１８５は、例えば、酸化ジルコニウムの薄膜と酸化シリコンの薄膜とを交互に形成して合計４つの層とした透明膜（総厚さ約４５０〜５５０［ｎｍ］ ）であり、反射率が約３０［％］となるように、蒸着により形成した層体であり、図１０Ａに示すように、光透過性文字板１５１の背面１５３に、または輝度向上フィルム１６１のおもて面１６２に形成されていてもよいし、光透過性文字板１５１と輝度向上フィルム１６１との間に、別体で形成されているものであってもよい。
【０１３０】
また、光透過性の反射光学層１８５は、図１０Ｂに示すように、光透過性文字板１５１の背面１５３に形成されていてもよいし、光透過性文字板１５１と輝度向上フィルム１６１との間に、別体で形成されていてもよい。
【０１３１】
このように、構成された実施形態（変形例６）の時計用表示板１５０によれば、光透過性の反射光学層１８５の無い各実施形態の時計用表示板１５０と同様の作用、効果を得ることができるとともに、反射光学層１８５の膜厚等を調整することで、光透過性文字板１５１から輝度向上フィルム１６１に到達する光の量を容易に調整することができる。
【０１３２】
なお、光透過性の反射光学層１８５は、変形例３や変形例４として示した、２つの輝度向上フィルム１６１，１７１を備えた時計用表示板１５０（図６，７，８）にも適用することができる。
【０１３３】
すなわち、これら２つの輝度向上フィルム１６１，１７１の各平面（プリズム面１６４，１７４が形成されていない側の平らな面）のそれぞれに、若しくはいずれか一方に、上述した光透過性の反射光学層１８５を形成することもでき、またはこれら輝度向上フィルム１６１，１７１の平面に光透過性の反射光学層１８５を形成することに加えて、あるいは輝度向上フィルム１６１，１７１の平面に光透過性の反射光学層１８５を形成することに代えて、光透過性文字板１５１の背面１５３に、上述した光透過性の反射光学層１８５を形成することもできる。
【０１３４】
（時計の実施形態）
上述した実施形態（各変形例１〜６を含む。以下、同じ。）の時計用表示板１５０が備えられた、図１に示した時計２００は、本発明に係る時計用表示板の実施形態を用いた時計であり、時計用表示板１５０の実施形態として発揮される作用、効果を、時計２００としても発揮する。
【０１３５】
また、上述した実施形態においては、時計用表示板１５０に入射する光量を１００％とした場合の光量１０％以上をソーラーセル１３０で受光するようになっていることは言うまでもなく、その受光した光により、ソーラーセル１３０は電力を発生し、その発生した電力は、時計２００を駆動するのに十分なエネルギーとなっている。
【０１３６】
さらに、この時計２００は、ソーラーセルを有するソーラー時計であるとともに、電波を受信して、表示（指針で指し示す動作を含む意）する時刻を自動的に調整を行うことができる電波受信機能部を有する時計（電波修正機能付きの時計（いわゆる電波修正時計））であってもよい。
【０１３７】
すなわち、時計用表示板１５０が非金属であるため、この時計用表示板１５０は電波を透過させることができ、したがって、時計２００が電波修正機能付きのソーラー時計（太陽電池付き）であるときも、時計用表示板１５０の下方に設けられたアンテナでその電波を受けることができ、その受けた電波に応じて時刻等を自動的に調整することができる。
【０１３８】
したがって、この時計用表示板１５０は、電波修正機能付きのソーラー時計に適用するのに好適である。
【０１３９】
なお、上述した各実施形態における時計用表示板１５０のプリズム面１６４の両側に位置する斜面部分（プリズム面１６４同士が交わって形成された稜線を挟んで両側に位置する斜面の部分）の表面粗さは小さいことが望ましいが、加工に要するコストや加工する機械等の実力の限度等を勘案して、日本工業規格（ＪＩＳ）Ｂ０６０１により規定された平均粗さでの表面粗さＲａが、０．１〜２．０［μｍ］の範囲であることが好ましい。
【０１４０】
また、この斜面部分の表面粗さＲａ（ＪＩＳ  Ｂ０６０１）は、０．１〜１．０［μｍ］の範囲であることがより好ましく、反射輝度をさらに高くすることができる。
【０１４１】
なお、表面粗さＲａが２．０［μｍ］を超えると、反射輝度を高める効果は若干低下するが、製造コストを抑制することができるとともに、視野角を拡げることができる。
【関連出願の相互参照】
【０１４２】
本出願は、２０１０年６月２３日に日本国特許庁に出願された特願２０１０−１４２５０３に基づいて優先権を主張し、その全ての開示は完全に本明細書で参照により組み込まれる。
【図１】
0005851989.tif 000002
【図２】
0005851989.tif 000003
【図３Ａ】
0005851989.tif 000004
【図３Ｂ】
0005851989.tif 000005
【図４】
0005851989.tif 000006
【図５Ａ】
0005851989.tif 000007
【図５Ｂ】
0005851989.tif 000008
【図６Ａ】
0005851989.tif 000009
【図６Ｂ】
0005851989.tif 000010
【図６Ｃ】
0005851989.tif 000011
【図６Ｄ】
0005851989.tif 000012
【図７Ａ】
0005851989.tif 000013
【図７Ｂ】
0005851989.tif 000014
【図７Ｃ】
0005851989.tif 000015
【図７Ｄ】
0005851989.tif 000016
【図８Ａ】
0005851989.tif 000017
【図８Ｂ】
0005851989.tif 000018
【図９Ａ】
0005851989.tif 000019
【図９Ｂ】
0005851989.tif 000020
【図１０Ａ】
0005851989.tif 000021
【図１０Ｂ】
0005851989.tif 000022
【図１０Ｃ】
0005851989.tif 000023